(57)【要約】【課題】照明器具の点灯、消灯、調光レベルの調整ができ、調光スイッチを小型化した調光システムを提供する。【解決手段】調光システムは、調光信号を出力する調光スイッチ１と、入力された調光信号に応じて調光レベルを調整する照明器具２と、照明器具２と商用電源ＡＣの間に直列接続された単極双投型のスイッチ３、４とを備える。調光スイッチ１は、２個モジュール寸法に形成され、信号用端子１０と、２個の電源用端子１２とを有する。一方の電源用端子１２は、取付枠５に並設されたスイッチ３の共通端子３１に接続される。また、他方の電源用端子１２をスイッチ４と商用電源ＡＣに接続する電源接続部６を備える。【選択図】図１
2010192260.tif 000002
【特許請求の範囲】
【請求項１】
商用電源を光源の点灯電力として動作し、調光信号に応じて調光レベルを調整する照明器具と、前記照明器具及び商用電源の間に直列接続され、前記照明器具と商用電源との間に互いの切替端子が接続された状態で直列に接続された単極双投型の第１及び第２のスイッチと、前記商用電源を動作電源として前記調光信号を出力する制御回路を具備し、大角形連用配線器具用の取付枠に取付けられる調光スイッチとを備え、
前記調光スイッチは、前記調光信号を出力する信号線が接続される信号用端子と、前記商用電源が接続される２個の電源用端子とを有し、
前記調光スイッチは、前記取付枠に３個まで取着可能な単位寸法の２個分の寸法である２個モジュール寸法に形成され、前記単位寸法に形成された前記第１のスイッチと共に前記取付枠に並設され、
一方の前記電源用端子は前記第１のスイッチの共通端子に接続され、
他方の前記電源用端子を第２のスイッチの共通端子と商用電源の１次側とに接続する電源接続部を設けたことを特徴とする調光システム。
【請求項２】
前記制御回路が、マイクロコンピュータにより構成されていることを特徴とする請求項１記載の調光システム。
【発明の詳細な説明】
【技術分野】
【０００１】
本発明は、照明器具の調光レベルを制御する調光システムに関するものである。
【背景技術】
【０００２】
従来から、蛍光灯などを光源とする照明器具の調光レベルを連続的に制御する調光システムがあり、例えば、使用者の操作に応じて照明器具に調光信号を出力し、照明器具側で調光信号に応じた調光制御を行わせる調光スイッチが用いられている（例えば、特許文献１）。
【０００３】
この種の調光システムは、図３に示すように、使用者の操作に応じて調光信号を出力する調光スイッチ１と、調光機能を有する照明器具２と、商用電源ＡＣおよび調光スイッチ１に直列接続される単極双投型のスイッチ４とを備え、信号線Ｌ１および電源線Ｌ２…Ｌ４を用いてそれぞれが電気的に接続されている。
【０００４】
調光スイッチ１は、配線器具用の取付枠（例えば、ＪＩＳで規格化された大角形連用配線器具の取付枠）に取り付けられ、壁面に埋設されたスイッチボックスに調光スイッチ１の本体後部が収納される。また、調光スイッチ１の本体後部側の側壁には、信号線Ｌ１が接続される信号用端子１０と、照明器具２が多端に接続された電源線Ｌ２を接続する負荷用端子１１と、商用電源ＡＣおよびスイッチ４にそれぞれ接続された電源線Ｌ３、Ｌ４と接続する電源用端子１２とが配設されている。また、調光スイッチ１には、例えばマイクロコンピュータからなり、信号線Ｌ１に調光信号を出力する制御回路（図示せず）と、照明装置７への電力供給をオン、オフさせる単極双投型のスイッチ（図示せず）が内蔵されている。
【０００５】
ここで、使用者が調光スイッチ１の前面に取り付けられた操作スイッチ（図示せず）またはスイッチ３の操作部を操作すると、照明装置７の点灯、消灯が切替えられ、また、調光スイッチ１の前面に取り付けられた調光ハンドルの設定に応じて制御回路から照明装置７に調光信号が出力され、照明装置７の調光レベルが切替制御される。
【先行技術文献】
【特許文献】
【０００６】
【特許文献１】特開平１０−２８４２６１号公報
【発明の概要】
【発明が解決しようとする課題】
【０００７】
ところで、照明器具への供給電力を位相制御して調光レベルを調整するような調光スイッチの場合には、商用電源と照明器具との間に調光スイッチが直列的に接続されればよいので、強電流配線が接続される強電用端子は少なくて済む。しかしながら、上述の調光スイッチでは、マイクロコンピュータで構成される制御回路を内蔵しており、制御回路の電源を得るために照明器具と並列的に接続される必要があるから強電用端子（負荷用端子および電源用端子）が５個必要であり、さらに、調光信号を出力するための信号用端子が２個必要であった。このため、端子の数が多いために１連用寸法には収まりきらず、調光スイッチの大きさを２連用寸法に形成する必要があり、調光スイッチが大型化するという問題があった。
【０００８】
本発明は、上記事由に鑑みて為されたものであり、その目的とするところは、照明器具の点灯、消灯、調光レベルの調整ができ、調光スイッチを小型化した調光システムを提供することにある。
【課題を解決するための手段】
【０００９】
上記目的を達成するために、請求項１の発明では、商用電源を光源の点灯電力として動作し、調光信号に応じて調光レベルを調整する照明器具と、前記照明器具及び商用電源の間に直列接続され、前記照明器具と商用電源との間に互いの切替端子が接続された状態で直列に接続された単極双投型の第１及び第２のスイッチと、前記商用電源を動作電源として前記調光信号を出力する制御回路を具備し、大角形連用配線器具用の取付枠に取付けられる調光スイッチとを備え、前記調光スイッチは、前記調光信号を出力する信号線が接続される信号用端子と、前記商用電源が接続される２個の電源用端子とを有し、前記調光スイッチは、前記取付枠に３個まで取着可能な単位寸法の２個分の寸法である２個モジュール寸法に形成され、前記単位寸法に形成された前記第１のスイッチと共に前記取付枠に並設され、一方の前記電源用端子は前記第１のスイッチの共通端子に接続され、他方の前記電源用端子を第２のスイッチの共通端子と商用電源の１次側とに接続する電源接続部を設けたことを特徴とする。
【００１０】
請求項２の発明によれば、請求項１記載の発明において、前記制御回路が、マイクロコンピュータにより構成されていることを特徴とする。
【発明の効果】
【００１１】
請求項１の発明によれば、照明器具と商用電源を接続する電路に、調光スイッチに接続された電源線を接続する電源線接続部を設けることで、調光スイッチの強電用端子の数を２個に減らすことができる。これにより、調光スイッチを１連用の２個モジュール寸法に形成することができ、常時電源が必要な調光スイッチと点灯、消灯切替用のスイッチと共に、１連用寸法の取付枠に配設することができる。
【００１２】
請求項２の発明によれば、調光信号を出力する制御回路をマイクロコンピュータで構成することで、調光パターンの変更や、照明器具にあわせた調光信号の変更が容易にできる。
【図面の簡単な説明】
【００１３】
【図１】実施の形態にかかる調光システムを示す概略回路図である。
【図２】同調光システムに用いる調光スイッチを示しており、（ａ）は背面図、（ｂ）は側面図である。
【図３】従来の調光システムを示す概略回路図である。
【発明を実施するための形態】
【００１４】
以下に本発明の実施の形態を図１及び図２を用いて説明する。なお、以下の説明においては、図２（ａ）における上下を調光スイッチ１及び取付枠５の上下とし、図２（ｂ）における左右を調光スイッチ１の前後として説明する。
【００１５】
図１に示すように、本実施の形態にかかる調光システムは、商用電源ＡＣを動作電力として調光信号を出力する調光スイッチ１と、調光スイッチ１からの調光信号に応じて光源の調光レベルを調整する照明器具２と、照明器具２と商用電源ＡＣを接続する電路に直列接続された単極双投型のスイッチ３（第１のスイッチ）およびスイッチ４（第２のスイッチ）と、複数の電源線を電気的に接続する電源線接続部６を備える。
【００１６】
調光スイッチ１は、図２（ａ）に示すように、ＪＩＳで規格化された大角形連用配線器具用の取付枠（ＪＩＳ  Ｃ  ８３７５）と略等しい大きさに形成された取付枠５に３個まで取着可能な単位寸法の２個分の大きさ（２個モジュール寸法）に形成されており、調光スイッチ１の側面に設けられた取付爪１３が取付枠５の有する器具取付孔５２と係合して固定されている。ここで、取付枠５は、取付枠５の上側及び下側に設けられた取付孔５１に固定ねじ（図示せず）が挿通され、壁内に埋設されたＪＩＳで規格化されたスイッチボックス（ＪＩＳ  Ｃ  ８３４０参照、図示せず）にねじ止め固定される。これにより、調光スイッチ１は、壁面に埋込配設される。なお、取付枠５及びスイッチボックスについては、周知の技術であるので詳細な説明は省略する。
【００１７】
また、調光スイッチ１の後部側壁には、信号線Ｌ１が接続される信号用端子１０、１０と、電源線Ｌ５、Ｌ６が接続される電源用端子１２、１２とが設けられており、調光スイッチ１が内蔵する制御回路（図示せず）に信号用端子１０および電源用端子１２が電気的に接続されている。また、信号用端子１０と電源用端子１２は、例えば、調光スイッチ１の後部側壁における左上端、右下端にそれぞれ配置され、弱電流配線である信号線Ｌ１と強電流配線である電源線Ｌ５、Ｌ６とを分離して配線することができる。
【００１８】
スイッチ３は、１個モジュール寸法に形成され、取付枠５の調光スイッチ１の下側に、スイッチ３の側面に設けられた取付爪３６が器具取付孔５２と係合して固定されている。すなわち、スイッチ３は、取付枠５を用いて調光スイッチ１とともに壁面に埋込配設される。また、スイッチ３の後部側壁には、共通端子３１、３２および切替端子３３、３４を備え、各端子３１〜３４は、挿入された電線を保持する機械式の電源線保持部を有し、各電源線を容易に接続することができる。
【００１９】
共通端子３１と共通端子３２は、スイッチ３の内部で電気的に接続されており、スイッチ３を操作することで、共通端子３１、３２と切替端子３３の間、もしくは、共通端子３１、３２と切替端子３４の間のいずれかに電路が形成される。共通端子３１には、調光スイッチ１が有する一方の電源用端子１２に接続された電源線Ｌ６が接続され、共通端子３２には一端が照明器具２に接続された電源線Ｌ２が接続されている。また、切替端子３３と切替端子３４の間には、例えば、発光ダイオードなどからなるほたる発光用の発光素子３７が接続されている。
【００２０】
スイッチ４は、スイッチ３と同じ構造のスイッチが用いられ、商用電源ＡＣとスイッチ３の間に接続配置され、電源線Ｌ４によってスイッチ３と接続されている。なお、スイッチ４は、調光スイッチ１及びスイッチ３とは異なる場所に配設されている。
【００２１】
照明器具２は、蛍光灯などの光源を備え（図示せず）、電源線Ｌ２を介して入力される商用電源ＡＣからの供給電力を光源の点灯電力としており、信号線Ｌ１から調光信号が入力されると、例えば、点灯電力を位相制御して光源の調光レベルを調整する。また、照明器具２には電源線Ｌ２、Ｌ２が接続され、一方の電源線Ｌ２は前述のようにスイッチ３に接続されており、他方の電源線Ｌ２は、電源線接続部６を介して商用電源ＡＣに接続された電源線Ｌ３と接続されている。これにより、スイッチ３、４のいずれかを操作することで照明器具２への供給電力がオン、オフされ、２箇所で照明器具２の点灯、消灯を切替えることができる。
【００２２】
電源線接続部６は、電源線Ｌ２、Ｌ３及び一端が調光スイッチ１の電源用端子Ｌ２に接続された電源線Ｌ５が接続されており、それぞれの電源線を電気的に接続している。また、電源線接続部６は、絶縁性の材料からなる外被で覆われており、例えば調光スイッチ１及びスイッチ３が配設されたスイッチボックスの内部に収納されている。
【００２３】
本実施の形態の配線システムは、上述したような構成をしており、使用者がスイッチ４の操作部、または、スイッチ３の表面に取付けられた、例えばワイドハンドル型の操作ハンドル３５のいずれかを操作することで、照明器具２の点灯・消灯が切替えられる。
【００２４】
また、照明器具２が点灯時には、調光スイッチ１の前面に設けられた調光ツマミ１４を操作することで、調光スイッチ１の制御回路が、照明器具２に調光信号を出力して、照明器具２の調光レベルが調整される。
【００２５】
なお、配線器具１の前面には目盛りなどが印刷などによって記載された化粧パネル１５が取り付けられており、使用者は化粧パネル１５の記載に従って調光ツマミ１４を操作することで、所望の調光レベルに容易に合わすことができる。
【００２６】
このようにして、調光スイッチ１は、強電用端子である電源用端子１２の数を２個にすることができ、調光スイッチ１の大きさを２個モジュール寸法に形成しても、マイクロコンピュータなどの制御回路を内蔵し、信号用端子１０を設け、照明器具２の調光レベルを調整させる調光信号を出力することができる。また、調光スイッチ１は、１連用寸法に形成された取付枠５に、照明器具２の点灯・消灯を切替えるスイッチ３と共に配設することができ、従来の２連用寸法に形成された調光スイッチを用いる調光システムと比較して、省スペースを実現した照明システムを提供することができる。
【符号の説明】
【００２７】
１          調光スイッチ
１０        信号用端子
１２        電源用端子
２          照明器具
３          第１のスイッチ
４          第２のスイッチ
５          取付枠
６          電源線接続部
【図１】
2010192260.tif 000003
【図２】
2010192260.tif 000004
【図３】
2010192260.tif 000005